(57)【要約】【課題】電力消費の少ない省エネルギー性を備えた熱交換換気装置を得る。【解決手段】経路の一部が熱交換器１の一次通路と二次通路で構成された排気通路２と給気通路３を備え、排気通路２には室内から室外へ向かう排気流を形成する排気送風機４が組込まれ、給気通路３には室外から室内へ向かう給気流を形成する給気送風機５が組込まれてなる熱交換換気装置について、その熱交換器１の二次通路の入口側部分の給気通路３には温度センサー６を設け、給気通路３の室外吸込口近傍には、給気流を昇温するヒータ８を設け、制御装置によって温度センサー６の出力値が所定値以下になったときには、ヒータ８を動作させ、このヒータ８の動作とともにヒータ運転タイマを動作させて、ヒータ運転タイマのタイムアップによりヒータ８を停止させるようにする。【選択図】          図１
2004340467.tif 000002
【特許請求の範囲】
【請求項１】
経路の一部が熱交換器の一次通路と二次通路で構成された排気通路と給気通路を備え、その排気通路には室内から室外へ向かう排気流を形成する送風機が組込まれ、その給気通路には室外から室内へ向かう給気流を形成する送風機が組込まれてなる熱交換換気装置であって、前記熱交換器の二次通路の入口側部分の前記給気通路には温度センサーを設け、前記給気通路の室外吸込口近傍には、給気流を昇温するヒータを設け、制御手段によって前記温度センサーの出力値が所定値以下になったときには、前記ヒータを動作させ、このヒータの動作とともにタイマを動作させて、このタイマのタイムアップにより前記ヒータを停止させるようにした熱交換換気装置。
【請求項２】
請求項１に記載の熱交換換気装置であって、温度センサーの出力値が０℃以下〜−１５℃の間の温度でヒータを動作させるようにした熱交換換気装置。
【発明の詳細な説明】
【０００１】
【発明の属する技術分野】
本発明は、給気と排気を同時に行い、給排気流間で連続的な熱交換を行う熱交換換気装置に関するものである。
【０００２】
【従来の技術】
上記した熱交換換気装置あるいは空調換気扇について、冬季に熱交換器が結露したり結霜したりするのを防ぐために給気流を昇温するヒータを備えたものがある（例えば、特許文献１参照）。
【０００３】
【特許文献１】
実開昭６０―１８２６２９号公報（第４頁―第５頁、図３）
【０００４】
【発明が解決しようとする課題】
上記した従来の空調換気扇においては、給気用ファンと熱交換器の間に設けられた熱センサが一定の温度以下の温度を検知すると、制御回路は、給気口と給気用ファンとの間に設けられたヒータを動作させ、吸込外気を暖めるようにする。従って、一旦ヒータが作動すると、熱センサは、直接外気温度を検知することができなくなり、制御回路は外気温度が変化してもヒータが必要であるかどうかを判定することができない。つまり、本体スイッチがオフとなるまでヒータは動作し続けることになる。例えば、一日のうちで外気温度の低い朝方運転を開始した場合にヒータが作動したときは、外気温度の上昇する昼頃になってもヒータは作動し続け、電力を無駄に消費することになる。
【０００５】
本発明は、係る従来の問題点を解決するためになされたものであって、その課題とするところは、電力消費の少ない省エネルギー性を備えた熱交換換気装置を得ることである。
【０００６】
【課題を解決するための手段】
前記課題を達成するために本発明は、経路の一部が熱交換器の一次通路と二次通路で構成された排気通路と給気通路を備え、排気通路には室内から室外へ向かう排気流を形成する送風機が組込まれ、給気通路には室外から室内へ向かう給気流を形成する送風機が組込まれてなる熱交換換気装置について、熱交換器の二次通路の入口側部分の給気通路には温度センサーを設け、給気通路の室外吸込口近傍には、給気流を昇温するヒータを設け、制御手段によって温度センサーの出力値が所定値以下になったときには、ヒータを動作させ、ヒータの動作とともにタイマを動作させて、このタイマのタイムアップによりヒータを停止させるようにする手段を採用する。
【０００７】
【発明の実施の形態】
図１は本実施の形態の熱交換換気装置を示すブロック構成図、図２は制御系のブロック構成図、図３と図４は制御動作を示すフローチャートである。本実施の形態の熱交換換気装置は、図１に示すように経路の一部が熱交換器１の一次通路と二次通路で構成された相互に独立した排気通路２と給気通路３とを備えている。排気通路２には室内から室外へ向かう排気流を形成する排気送風機４が組込まれている。給気通路３には室外から室内へ向かう給気流を形成する給気送風機５が組込まれている。熱交換器１の二次通路の入口側部分の給気通路３には温度センサー６が設けられている。また、給気通路３の給気ダクト７の室外吸込口近傍には、給気ダクト７を流れる給気流を昇温するヒータ８が設けられている。給気ダクト７のヒータ８の上流側には、給気ダクト７を開閉する常閉式の電動ダンパ９が設けられ、排気ダクト１０の室外出口近傍には、排気ダクト１０を開閉する常閉式の電動ダンパ１１が設けられている。
【０００８】
給気送風機５と排気送風機４及びヒータ８並びに各電動ダンパ９，１１は、図２に示すように制御装置１２によって制御される。制御装置１２の回路基板１３には、給気送風機５と排気送風機４の各駆動回路とともに、各電動ダンパ９，１１のオン／オフを行う駆動接点１４が設けられていて、この駆動接点１４によって各電動ダンパ９，１１の電源１５が入り切りされる。また、回路基板１３には、ヒータ８のオン／オフを行う駆動接点１６が設けられていて、この駆動接点１６によってヒータ８の電源１７が入り切りされる。回路基板１３の入力側には温度センサー６と、リモコン１８が電送線で接続されている。
【０００９】
制御装置１２は、リモコン１８から運転指示信号が電送されると、図３のフローチャートで示すような制御動作を行う。即ち、ステップ♯１でリモコン１８から運転指示信号があると、ステップ♯２においてヒータ８の駆動接点１６が閉であるかどうかを判定する。停止から運転に切替わった状態では駆動接点１６は開であるのでステップ♯３へ進み、ステップ♯３で温度センサー６の出力値に従って、外気温度の判定を行う。判定温度は、熱交換器１に結露や結霜が発生する上限である０℃から−１５℃の間の温度を設定する。本実施の形態では、例えば−１０℃を設定温度としている。
【００１０】
ステップ♯３で外気温度が−１０℃以下であればステップ♯４へ進み、ステップ♯４においてヒータ８の駆動接点１６を閉じ、プログラムで構成されたヒータ運転タイマをスタートさせる処理をしてステップ♯５で各電動ダンパ９，１１の駆動接点１４を閉じ、各電動ダンパ９，１１を開き、給気送風機５及び排気送風機４を駆動させる処理を行い、ステップ♯１の処理に戻る。ただし、運転開始時には温度センサー６は給気ダクト７内の空気の温度を検知するだけなので、実際にはステップ♯３の条件判定で−１０℃より大きな値となるため、ステップ♯４はスキップされ送風だけのスタートとなる。運転中にヒータ８がオンするケースは、プログラムがステップ♯１→ステップ♯２→ステップ♯３→ステップ♯５→ステップ♯１・・と繰り返される過程でステップ♯３において外気温度が−１０℃以下になったときである。
【００１１】
ヒータ８が一旦オンすると、ステップ♯４においてヒータ運転タイマをスタートさせる。タイマ時間は、例えば１時間とする。ヒータ運転タイマが動作している間はステップ♯２においてステップ♯６へ進む。ステップ♯６ではヒータ運転タイマがタイムアップしたかどうかの判定を行う。１時間以内であればステップ♯５へ進み、ヒータ８を作動させながら送風をし続ける。タイムアップ、即ち１時間経過した場合にはステップ♯１３においてヒータ駆動接点１６を開き、一旦ヒータ８をオフし、ステップ♯５へ進む。その後、ステップ♯１→ステップ♯２→ステップ♯３→ステップ♯５→ステップ♯１と進みヒータ８の余熱が排除され、ステップ♯３において外気温度が再び−１０℃以下になれば、さらに１時間のヒータ運転タイマがセットされ、ヒータ８がオンする。ステップ♯３で外気温度が−１０℃以下になることがなければ、その後、ヒータ８はオフのまま送風を続ける。
【００１２】
運転から停止の流れは図４のフローチャートに示すとおりである。即ち、ステップ♯１においてリモコン１８から停止指示があるとステップ♯７へ移行する。ステップ♯７ではプログラムで構成された遅延タイマがカウント中かどうかを判定する。運転から停止に指示変化が発生した直後にステップ♯７へ進んだ場合はステップ♯１０へ移行し、ヒータ８の駆動接点１６が閉かどうかを判定する。停止指示時点でヒータ８が動作していなければステップ♯１２において送風を停止し、電動ダンパ９，１１の駆動接点１４を開き換気装置を停止する。
【００１３】
停止指示時点でヒータ８が動作しているとステップ♯１１で遅延タイマのカウントを開始し、ヒータ８の駆動接点１６を開く。その後、ステップ♯５において電動ダンパ９，１１の駆動接点１４を閉じ、送風を維持しながら、ステップ♯７において遅延タイマがカウント中かどうかを判定し、カウント中であればステップ♯８でカウントを継続し、ステップ♯９で遅延タイマがタイムアップしたかどうかを判定する。タイムアップしていなければ、ステップ♯５において電動ダンパ９，１１の駆動接点１４を閉じ、送風を維持する。タイムアップするとステップ♯１２において送風を停止し、電動ダンパ９，１１の駆動接点１４を開く。遅延タイマはヒータ８の余熱排除を行うものである。
【００１４】
ステップ♯３の判定温度は、０℃〜−１５℃の範囲で設定すればよく、０℃〜−１０℃の間に設定したときは、タイマの運転時間は１時間程度とし、−１１℃から−１５℃の間に設定したときは、タイマの運転時間は２時間程度とすればよい。
【００１５】
【発明の効果】
本発明によれば、電力消費の少ない省エネルギー性を備えた熱交換換気装置が得られる。
【図面の簡単な説明】
【図１】実施の形態の熱交換換気装置のブロック構成図である。
【図２】実施の形態の熱交換換気装置の制御装置のブロック構成図である。
【図３】実施の形態の制御装置の制御動作を示すフローチャートである。
【図４】実施の形態の制御装置の制御動作を示すフローチャートである。
【符号の説明】
１  熱交換器、  ２  排気通路、  ３  給気通路、  ４  排気送風機、  ５  給気送風機、  ６  温度センサー、  ８  ヒータ、  １２  制御装置。
【図１】
2004340467.tif 000003
【図２】
2004340467.tif 000004
【図３】
2004340467.tif 000005
【図４】
2004340467.tif 000006